(57)【要約】  【課題】画像表示装置の枠を適宜交換可能にし２以上のデザインを実現できるようにすることを課題とする。  【解決手段】記録媒体に記録された画像データを読み出し表示するモニターを含む画像表示手段を有する画像表示装置において、前記モニターの前面外縁部に固定される枠である固定枠と、固定枠の前面に着脱可能に設けられる枠である分離枠とを設け、分離枠を複数種類用意することで、分離枠を適宜交換し、モニター枠に関し２以上のデザインを実現できるようにする。【選択図】  図１
0003132082.tif 000002
【実用新案登録請求の範囲】
【請求項１】
記録媒体に記録された画像データを読み出して表示する、モニターを含む画像表示手段と、
前記モニターの前面外縁部に固定される枠である固定枠と、
固定枠の前面に着脱可能に設けられる枠である分離枠と
を有する画像表示装置。
【請求項２】
前記分離枠の少なくとも一部は透明である請求項１に記載の画像表示装置。
【考案の詳細な説明】
【技術分野】
【０００１】
本考案は、デジタル画像を表示する画像表示装置に関し、特に、モニターの枠を交換できる画像表示装置に関する。
【背景技術】
【０００２】
画像表示装置は、液晶モニター等のモニターとこのモニターに信号を送る画像処理部とから構成される。このような画像表示装置は室内に設置されることが多のでモニターの枠をデザイン化することがしばしば行われる。具体的には、モニターの枠として、透明ものを設けたり、模様を描いたものが設けられたりしていた。
【考案の開示】
【考案が解決しようとする課題】
【０００３】
しかし、枠のデザインは一つのモニターに対して一種類が固定されるので、部屋の模様替えなどで枠のデザインが合わなくなったり、枠のデザインに飽きたような場合においても、そのまま使うことが多く、これを解消するにはモニター自体を交換するしか方法がなかった。
本考案は、かかる問題に鑑みて、画像表示装置の枠を適宜交換可能にできるようにすることを課題とする。
【課題を解決するための手段】
【０００４】
上記課題を解決するために、本考案は次のような構成を有する。
請求項１に記載の発明は、記録媒体に記録された画像データを読み出し、表示するモニターを含む画像表示手段と、前記モニターの前面外縁部に固定される枠である固定枠と、固定枠の前面に着脱可能に設けられる枠である分離枠とを有する画像表示装置である。
請求項２に記載の発明は、前記画像表示装置において前記分離枠の少なくとも一部を透明としたものである。
【考案の効果】
【０００５】
請求項１に記載の考案は、記録媒体に記憶された画像をモニターに表示することができる画像表示装置において、分離枠を適宜変えることができるので、材質やデザインや色の異なる分離枠を複数用意することで、好みや必要に応じて分離枠を変更すればモニターの枠を視覚的に変えることができる。
請求項２に記載の考案は、分離枠の少なくとも一部を透明なものとすることで、透明部分において、分離枠と固定枠の間に写真や絵を挟むことで、当該写真や絵を枠のデザインの一部とすることができ、分離枠が一種類のみでも挟む写真等を変えることでモニターの枠を視覚的に変えることが可能となる。
【考案を実施するための最良の形態】
【０００６】
以下、本考案の実施形態について、図を参照しながら説明する。
（実施形態１）
図１に実施形態１に係る画像表示装置Ｘの分解斜視図を示し、図２に画像表示装置Ｘの斜視図を示す。画像表示装置Ｘは、液晶モニター１１を含む画像表示部１０、液晶モニター１１の外縁を囲む固定枠２１、固定枠２１表面とほぼ同じ表面形状を有する第１分離枠２２及び第２分離枠２３とから構成される。
画像表示部１０は、合成樹脂性の扁平な筐体内に液晶モニター１１及びＣＰＵ、ＲＡＭ、ＲＯＭ等からなるデータ処理装置が内蔵されるとともに、図示しないカード型フラッシュメモリーなどの記録媒体が接続できるスロット部やＵＳＢポートが設けてある。そして、スロット部やＵＳＢポートに接続される記録媒体に記録された画像データを読み出してデータ処理を行い液晶モニター１１に処理信号を送って液晶モニター１１に画像を表示させることができる。さらに、画像表示装置１０には、ステレオスピーカーが内蔵されるとともに、音声データを出力することもできるようになっている。
【０００７】
固定枠２１は、画像表示部１０と一体に成型される長方形状の板状体であって、液晶モニター１１が表出する中心に長方形状の穴が形成されている。また、固定枠２１の４すみには４つの貫通孔２１ａが設けられている。
第１分離枠２２及び第２分離枠２３は同一形状であり、固定枠２１の表面にほぼ重なる形状を有している。第１分離枠２２および第２分離枠２３は透明なアクリル板により形成されるものであって、やはり、それぞれ４すみに前記固定枠２１の貫通孔２１ａと同径の４つの貫通孔２２ａ、２３ａが設けられている。
分離枠２２、２３は止具２４とネジ２６及び脚２５とにより固定枠２１に固定される。止具２４は、固定枠２１の貫通孔２１ａと第１分離枠２２の貫通孔２２ａと第２分離枠２３の貫通孔２３ａとを重ねた深さとほぼ同じ長さを有し、これらの貫通孔の内径をほぼ同じ外径を有する円筒体と円筒体の先端に設けられる円板状のフランジとからなり、円筒体の後端にはねじ穴が形成されている。ネジ２６は、当該ネジ穴に係合し各貫通孔よりも大きな外径の頭部が設けられている。ネジ２６は上部の２つの貫通孔側に係合する。脚２５は、止具２４のねじ穴に係合するネジ部が先端に設けられた、各貫通孔よりも太い丸棒体から構成される。脚２５は下部の２つの貫通孔側に係合している。
【０００８】
次に、以上のような構成を有する画像表示装置Ｘの使用方法について説明する。使用に際しては、固定枠２１に第１分離枠２２、第２分離枠２３を固定して使用するわけであるが、第１分離枠２２と第２分離枠２３との間に、第１分離枠２２及び第２分離枠２３の表明とほぼ一致する大きさのシートＰを狭持するようにする。シートＰ表面にはデザインが施され、また、４すみにはやはり貫通孔Ｐａが設けられている。このシートＰを適宜交換することによって、液晶モニター１１の枠に種々のデザインを施すことが可能となり、一つの画像表示装置で複数のデザインを実現することができる。
なお、本実施形態において分離枠は、第１分離枠２２と第２分離枠２３の２つから構成されているが、これは１つにして固定枠といずれかの分離枠とでシートＰを挟むようにしてもよい。
【０００９】
（実施形態２）
図３に実施形態２に係る画像表示装置Ｙの分解斜視図を示し、図３に画像表示装置Ｙの斜視図を示す。画像表示装置Ｙは、液晶モニター１１を含む画像表示部１０、液晶モニター１１の外縁を囲む固定枠２１、固定枠２１表面とほぼ同じ表面形状を有する第３分離枠３１とから構成される。画像表示分１０及び固定枠２１は実施形態１に係る画像表示装置Ｘと同じなので説明は省略する。
第３分離枠３１は、木製の枠であり、やはり固定枠２１の表面にほぼ重なる形状を有している。そして、固定枠２１の貫通孔２１ａに重なる位置に、図示しない鬼目ナットが打ち込まれることでねじ穴が形成されている。第３分離枠３１の固定はこのねじ穴を介して、脚２５及びネジ２６により行われる。
【００１０】
このような構成を有する画像表示装置Ｙは、第３分離枠３１を交換することができるので、異なるデザインの分離枠３１を用意することで、やはり一つの画像表示装置で複数のデザインを実現することができる。なお、画像表示分１０及び固定枠２１は実施形態１に係る画像表示装置Ｘと共通なので、第１分離枠２２及び第２分離枠２３と第３分離枠３１も適宜交換することができる。
なお、第３分離枠３１は木製の他に、石板、石膏、金属、ガラス等種々の材質で形成することが可能である。
【図面の簡単な説明】
【００１１】
【図１】実施形態１に係る画像表示装置の分解斜視図である。
【図２】実施形態１に係る画像表示装置の斜視図である。
【図３】実施形態２に係る画像表示装置の分解斜視図である。
【図４】実施形態２に係る画像表示装置の斜視図である。
【符号の説明】
【００１２】
Ｘ、Ｙ  画像表示装置
Ｐ      シート
１０    画像表示部
１１    液晶モニター
２１    第１分離枠
２２    第２分離枠
３０    第３分離枠
【図１】
0003132082.tif 000003
【図２】
0003132082.tif 000004
【図３】
0003132082.tif 000005
【図４】
0003132082.tif 000006